【手続補正書】
【提出日】平成23年10月11日(2011.10.11)
【手続補正１】
【補正対象書類名】特許請求の範囲
【補正対象項目名】全文
【補正方法】変更
【補正の内容】
【特許請求の範囲】
【請求項１】
無線周波追跡・通信装置であって、
チップ上に規定されたプロセッサと、
前記プロセッサと電気的に通信するように前記チップ上に規定され、国際周波数で動作するよう規定され、前記プロセッサによって送信される制御信号に従って電源がオン・オフされるよう規定された無線機と、
前記プロセッサと電気的に通信するように規定され、前記プロセッサによって送信される制御信号に従って電源がオン・オフされるよう規定された位置決定部と、
前記プロセッサ、前記無線機、および、前記位置決定部に電力を供給するよう規定された電源と、
を備える、装置。
【請求項２】
請求項１に記載の無線周波追跡・通信装置であって、前記無線機は、電気電子学会（ＩＥＥＥ）８０２．１５．４標準に準拠するよう規定される、装置。
【請求項３】
請求項１または２に記載の無線周波追跡・通信装置であって、前記位置決定部は、全地球測位システム（ＧＰＳ）受信機である、装置。
【請求項４】
請求項１から３のいずれか一の請求項に記載の無線周波追跡・通信装置であって、さらに、
無線周波（ＲＦ）信号を受信するよう規定された第１のアンテナと、
前記第１アンテナからＲＦ信号を受信するように接続された第１の低雑音増幅器と、
前記第１の低雑音増幅器からＲＦ信号を受信するように接続され、処理済みのＲＦ信号を前記位置決定部に送信するように接続された信号フィルタと、
を備える、装置。
【請求項５】
請求項４に記載の無線周波追跡・通信装置であって、前記第１の低雑音増幅器は、前記位置決定部から電力制御信号を受信するように接続されており、前記位置決定部から受信される前記電力制御信号に従って電源がオン・オフされるよう規定されている、装置。
【請求項６】
請求項４に記載の無線周波追跡・通信装置であって、前記信号フィルタは、弾性表面波（ＳＡＷ）信号フィルタである、装置。
【請求項７】
請求項１から３のいずれか一の請求項に記載の無線周波追跡・通信装置であって、さらに、
無線周波（ＲＦ）信号を送受信するよう規定された無線アンテナと、
前記無線機から前記無線アンテナに至るよう規定されたＲＦ信号送信路と、
前記無線アンテナから前記無線機に至るよう規定されたＲＦ信号受信路と、
前記ＲＦ信号送信路および前記ＲＦ信号受信路が同時に有効にならないように協調的に動作するよう規定された一対のＲＦスイッチと、
を備える、装置。
【請求項８】
請求項７に記載の無線周波追跡・通信装置であって、さらに、
前記ＲＦ信号送信路の前記一対のＲＦスイッチの間に接続された電力増幅器と、
前記ＲＦ信号受信路の前記一対のＲＦスイッチの間に接続された低雑音増幅器と、
を備える、装置。
【請求項９】
請求項８に記載の無線周波追跡・通信装置であって、さらに、
前記一対のＲＦスイッチの協調的動作を指示すると共に、前記電力増幅器および前記低雑音増幅器の電力制御を指示するよう規定された制御回路を備え、
前記制御回路は、前記プロセッサから制御信号を受信するよう規定され、前記制御信号に従って、前記ＲＦ信号送信路または前記ＲＦ信号受信路に沿って連続性を確立するように前記一対のＲＦスイッチに指示するよう規定される、装置。
【請求項１０】
請求項１から３のいずれか一の請求項に記載の無線周波追跡・通信装置であって、さらに、
前記チップが通常動作モードにある時に、前記チップに第１の動作クロック信号を提供するように接続された第１の水晶発振器と、
前記チップのすべての動作モード中に、前記チップに第１のリアルタイムクロック信号を提供するように接続された第２の水晶発振器と、
前記位置決定部が通常動作モードにある時に、前記位置決定部に第２の動作クロック信号を提供するように接続された第３の水晶発振器と、
前記位置決定部のすべての動作モード中に、前記位置決定部に第２のリアルタイムクロック信号を提供するように接続された第４の水晶発振器と、
を備える、装置。
【請求項１１】
請求項１０に記載の無線周波追跡・通信装置であって、前記第１の水晶発振器は、３２メガヘルツ（ＭＨｚ）のクロック信号を生成するよう規定され、前記第３の水晶発振器は、２４ＭＨｚのクロック信号を生成するよう規定され、前記第２および第４の水晶発振器は各々、３２キロヘルツ（ｋＨｚ）のクロック信号を生成するよう規定されている、装置。
【請求項１２】
請求項１から１１のいずれか一の請求項に記載の無線周波追跡・通信装置であって、さらに、
前記プロセッサに接続された拡張メモリを備え、
前記拡張メモリは、データ格納および取り出しのために前記プロセッサによってアクセス可能である不揮発性メモリとして規定される、装置。
【請求項１３】
請求項１から１２のいずれか一の請求項に記載の無線周波追跡・通信装置であって、さらに、
前記電源の出力に接続された電圧調整器を備え、
前記電圧調整器は、前記プロセッサ、前記無線機、および、前記位置決定部に、最適化された電圧制御および調整を提供するよう規定される、装置。
【請求項１４】
請求項１から１３のいずれか一の請求項に記載の無線周波追跡・通信装置であって、さらに、
様々な外部装置を前記位置決定部およびチップに電気接続することを可能にするよう規定されたデータインターフェースを備える、装置。
【請求項１５】
請求項１から１４のいずれか一の請求項に記載の無線周波追跡・通信装置であって、さらに、
前記プロセッサと電気的に通信するモーションセンサを備え、
前記モーションセンサは、前記無線周波追跡・通信装置の物理的運動を検出し、対応する運動検出信号を前記プロセッサに送信するよう規定される、装置。
【請求項１６】
無線周波追跡・通信装置であって、
チップ上に規定されたプロセッサと、
前記プロセッサと電気的に通信するように前記チップ上に規定され、電気電子学会（ＩＥＥＥ）８０２．１５．４標準に準拠するよう規定された無線機と、
前記プロセッサと電気的に通信するよう規定された全地球測位システム（ＧＰＳ）受信機と、
前記プロセッサ、前記無線機、および、前記ＧＰＳ受信機に電力を供給するよう規定された電源と、
を備え、
前記無線機および前記ＧＰＳ受信機の各々は、前記プロセッサによって送信されるそれぞれの制御信号に従って、独立して電源がオン・オフされるよう規定されている、装置。
【請求項１７】
請求項１６に記載の無線周波追跡・通信装置であって、さらに、
前記プロセッサと電気的に通信するモーションセンサを備え、
前記モーションセンサは、前記無線周波追跡・通信装置の物理的運動を検出し、対応する運動検出信号を前記プロセッサに送信するよう規定される、装置。
【請求項１８】
請求項１７に記載の無線周波追跡・通信装置であって、前記プロセッサは、前記モーションセンサから運動検出信号を受信し、前記受信した運動検出信号に基づいて、前記無線周波追跡・通信装置の適切な動作モードを決定するよう規定されている、装置。
【請求項１９】
請求項１７または１８に記載の無線周波追跡・通信装置であって、前記モーションセンサは、加速度計、ジャイロ、水銀スイッチ、マイクロ振り子、または、それらの組み合わせのいずれかとして規定される、装置。
【請求項２０】
無線周波追跡・通信装置を動作させるための方法であって、
復帰信号の発行まで、前記無線周波追跡・通信装置の最小電力消費状態を維持し、
前記最小電力消費状態中にモーションセンサを動作させ、
閾値レベルの運動を前記モーションセンサが検出したことを確認し、
前記閾値レベルの運動の確認に応答して、前記復帰信号を発行し、前記最小電力消費状態から前記無線周波追跡・通信装置の通常動作電力消費状態に移行させることと、
を備える、方法。
【請求項２１】
請求項２０に記載の無線周波追跡・通信装置を動作させるための方法であって、前記閾値レベルの運動は、少なくとも第１の所定の大きさの単一の運動検出信号として、または、少なくとも第２の所定の大きさに到達した運動検出信号の積分として、もしくは、それらの組み合わせとして規定される、方法。
【請求項２２】
請求項２０または２１に記載の無線周波追跡・通信装置を動作させるための方法であって、さらに、
前記無線周波追跡・通信装置による所定の動作または所定のアイドル期間のいずれかの完了時に、前記無線周波追跡・通信装置の前記通常動作電力消費状態から前記最小電力消費状態に移行させることを備える、方法。
【請求項２３】
請求項２０から２２のいずれか一の請求項に記載の無線周波追跡・通信装置を動作させるための方法であって、さらに、
前記最小電力消費状態中に無線周波（ＲＦ）通信信号を受信し、
前記ＲＦ通信信号の受信に応答して、前記復帰信号を発行し、前記無線周波追跡・通信装置の前記最小電力消費状態から前記通常動作電力消費状態に移行させること、
を備える、方法。
【請求項２４】
請求項２０から２２のいずれか一の請求項に記載の無線周波追跡・通信装置を動作させるための方法であって、さらに、
復帰スケジュールに対してリアルタイムクロックを監視し、
前記復帰スケジュールにおける復帰時刻に到達すると、前記復帰信号を発行し、前記無線周波追跡・通信装置の前記最小電力消費状態から前記通常動作電力消費状態に移行させること、
を備える、方法。